(57)【要約】【課題】太陽光発電装置を提供すること。【解決手段】太陽光発電装置は、太陽エネルギーを吸収して電気エネルギーに変換する太陽電池アレイと、前記太陽光発電装置の状態を表す発電情報及び前記太陽光発電装置周辺の環境状態を表す環境情報のうち少なくともいずれか一つを感知し、前記発電情報及び前記環境情報のうち少なくともいずれか一つを感知した時間を測定するセンシング部とを備える。【選択図】図８
2016135094.tif 000002
【特許請求の範囲】
【請求項１】
太陽光発電装置であって、
太陽エネルギーを吸収して電気エネルギーに変換する太陽電池アレイと、
前記太陽光発電装置の状態を表す発電情報及び前記太陽光発電装置周辺の環境状態を表す環境情報のうち少なくともいずれか一つを感知し、前記発電情報及び前記環境情報のうち少なくともいずれか一つを感知した時間を測定するセンシング部とを備える、太陽光発電装置。
【請求項２】
前記センシング部は、複数のセンサを有し、
前記複数のセンサは、同じ時間に前記発電情報及び前記環境情報のうち少なくともいずれか一つを感知する、請求項１に記載の太陽光発電装置。
【請求項３】
前記センシング部は、前記発電情報及び前記環境情報のうち少なくともいずれか一つと、前記発電情報及び前記環境情報のうち少なくともいずれか一つを感知した時間とを含む状態情報を伝送する、請求項１に記載の太陽光発電装置。
【請求項４】
前記センシング部は、複数のセンサを有し、
前記複数のセンサは、前記状態情報を順次に伝送する、請求項３に記載の太陽光発電装置。
【請求項５】
前記状態情報は、前記センシング部が有するセンサを識別する識別情報、前記センサが感知した値を表す測定情報、前記センサが感知した時間を表す時間情報及び情報のエラーを検出するためのエラー検出情報のうち少なくともいずれか一つを含む、請求項３に記載の太陽光発電装置。
【請求項６】
前記識別情報は、前記センサの連結位置を表すセンサアドレス情報及び前記センサの種類を表すセンサ種類情報のうち少なくともいずれか一つを含む、請求項５に記載の太陽光発電装置。
【請求項７】
前記発電情報は、前記太陽光発電装置が生産する電力の電圧及び前記太陽光発電装置内の温度のうち少なくともいずれか一つを含み、
前記状態情報は、前記太陽光発電装置が位置した所の日射量及び前記太陽光発電装置が位置した所の温度のうち少なくともいずれか一つを含む、請求項１に記載の太陽光発電装置。
【請求項８】
太陽光発電装置の動作方法であって、
太陽エネルギーを吸収して電気エネルギーに変換するステップと、
前記太陽光発電装置の状態を表す発電情報及び前記太陽光発電装置周辺の環境状態を表す環境情報のうち少なくともいずれか一つを感知するステップと、
前記発電情報及び前記環境情報のうち少なくともいずれか一つを感知した時間を測定するステップとを含む、動作方法。
【請求項９】
前記発電情報及び前記環境情報のうち少なくともいずれか一つを感知するステップは、複数のセンサが同じ時間に前記発電情報及び前記環境情報のうち少なくともいずれか一つを感知する、請求項８に記載の動作方法。
【請求項１０】
前記発電情報及び前記環境情報のうち少なくともいずれか一つと、前記発電情報及び前記環境情報のうち少なくともいずれか一つを感知した時間とを含む状態情報を伝送するステップをさらに含む、請求項８に記載の動作方法。
【請求項１１】
前記状態情報を伝送するステップは、複数のセンサが前記状態情報を順次に伝送する、請求項１０に記載の動作方法。
【請求項１２】
前記状態情報は、センサを識別する識別情報、前記センサが感知した値を表す測定情報、前記センサが感知した時間を表す時間情報及び情報のエラーを検出するためのエラー検出情報のうち少なくともいずれか一つを含む、請求項１０に記載の動作方法。
【請求項１３】
前記識別情報は、前記センサの連結位置を表すセンサアドレス情報及び前記センサの種類を表すセンサ種類情報のうち少なくともいずれか一つを含む、請求項１２に記載の動作方法。
【請求項１４】
前記発電情報は、前記太陽光発電装置が生産する電力の電圧及び前記太陽光発電装置内の温度のうち少なくともいずれか一つを含み、
前記状態情報は、前記太陽光発電装置が位置した所の日射量及び前記太陽光発電装置が位置した所の温度のうち少なくともいずれか一つを含む、請求項８に記載の動作方法。
【発明の詳細な説明】
【技術分野】
【０００１】
本発明の技術分野は、太陽光発電装置に関する。
【背景技術】
【０００２】
石油などの化石エネルギーの枯渇と環境汚染に対する憂慮によって、代替エネルギーに対する関心が高まっている。その中でも、太陽電池を付着したパネルを大規模に広げて太陽光エネルギーを利用し、電気を大規模に生産する発電である太陽光発電が脚光を浴びている。太陽光発電は、無制限、無公害の太陽光エネルギーを利用するので、燃料費がかからず、大気汚染や廃棄物の発生がないという長所がある。
【０００３】
太陽光エネルギー発電方式には、独立型と系統連係型がある。独立型方式は、太陽光発電装置を系統に連結しない独立した負荷に連結して使用する。系統連係型方式は、太陽光発電装置を既存の電力系統に連結して使用する。昼に電気が発生すれば太陽光発電システムから送電し、夜や雨天時には系統から電気の供給を受ける。系統連係型太陽光発電システムを效率的に使用するために、軽負荷時には、バッテリーエネルギー保存システム（Ｂａｔｔｅｒｙ  Ｅｎｅｒｇｙ  Ｓｔｏｒａｇｅ  Ｓｙｓｔｅｍ、ＢＥＳＳ）にアイドル電力を保存し、過負荷時には、太陽光発電電力だけでなくバッテリーエネルギー保存システムを放電して、電力を系統に供給する形態の太陽光発電システムが導入された。
【０００４】
このような太陽光発電装置の発電量は、天気や時刻など環境的要因に多くの影響を受ける。したがって、このような環境的要因を感知し続ける必要がある。また、太陽光発電装置は、多量の太陽光を吸収するために、比較的広い面積を必要とする。したがって、太陽光発電装置は、一般的な住居地域や太陽光発電装置を管理する管理者の勤務地域から遠く離れた遠隔地に位置する場合が多い。このような理由によって、太陽光発電装置は、太陽光発電装置の状態を記録し、外部に伝送するデータロガー（ｄａｔａ  ｌｏｇｇｅｒ）を含む。
【発明の概要】
【発明が解決しようとする課題】
【０００５】
本発明の一実施の形態は、太陽光発電装置の状態を効率的かつ正確に記録し伝送する太陽光発電装置を提供する。特に、本発明の一実施の形態は、太陽光発電装置の状態を感知した時間と太陽光発電装置の状態を共に記録し伝送する太陽光発電装置を提供する。このとき、複数のセンシング部が太陽光発電装置の状態を同時に記録できる。
【課題を解決するための手段】
【０００６】
本発明の一実施の形態にかかる太陽光発電装置は、太陽エネルギーを吸収して電気エネルギーに変換する太陽電池アレイと、前記太陽光発電装置の状態を表す発電情報及び前記太陽光発電装置周辺の環境状態を表す環境情報のうち少なくともいずれか一つを感知し、前記発電情報及び前記環境情報のうち少なくともいずれか一つを感知した時間を測定するセンシング部とを備える。
【０００７】
前記センシング部は、複数のセンサを有し、前記複数のセンサは、同じ時間に前記発電情報及び前記環境情報のうち少なくともいずれか一つを感知することができる。
【０００８】
前記センシング部は、前記発電情報及び前記環境情報のうち少なくともいずれか一つと、前記発電情報及び前記環境情報のうち少なくともいずれか一つを感知した時間とを含む状態情報を伝送することができる。
【０００９】
前記センシング部は、複数のセンサを有し、前記複数のセンサは、前記状態情報を順次に伝送することができる。
【００１０】
前記状態情報は、前記センシング部が有するセンサを識別する識別情報、前記センサが感知した値を表す測定情報、前記センサが感知した時間を表す時間情報及び情報のエラーを検出するためのエラー検出情報のうち少なくともいずれか一つを含むことができる。
【００１１】
前記識別情報は、前記センサの連結位置を表すセンサアドレス情報及び前記センサの種類を表すセンサ種類情報のうち少なくともいずれか一つを含むことができる。
【００１２】
前記発電情報は、前記太陽光発電装置が生産する電力の電圧及び前記太陽光発電装置内の温度のうち少なくともいずれか一つを含み、前記状態情報は、前記太陽光発電装置が位置した所の日射量及び前記太陽光発電装置が位置した所の温度のうち少なくともいずれか一つを含むことができる。
【００１３】
本発明の一実施の形態にかかる太陽光発電装置の動作方法は、太陽エネルギーを吸収して電気エネルギーに変換するステップと、前記太陽光発電装置の状態を表す発電情報及び前記太陽光発電装置周辺の環境状態を表す環境情報のうち少なくともいずれか一つを感知するステップと、前記発電情報及び前記環境情報のうち少なくともいずれか一つを感知した時間を測定するステップとを含む。
【発明の効果】
【００１４】
本発明の一実施の形態は、太陽光発電装置の状態を効率的かつ正確に記録し伝送する太陽光発電装置を提供して、太陽光発電装置を効率的かつ精密に管理できるようにする。特に、本発明の一実施の形態は、太陽光発電装置の状態を感知した時間と太陽光発電装置の状態を共に記録し伝送して、太陽光発電装置の状態が記録された時間が分かるようにする。また、複数のセンシング部が太陽光発電装置の状態を同時に記録して複数の太陽光発電装置の状態を表す複数の状態を精密に分析できるようにする。
【図面の簡単な説明】
【００１５】
【図１】本発明の一実施の形態にかかる太陽光発電装置のブロック図である。
【図２】本発明の一実施の形態にかかる太陽光発電装置の動作フローチャートである。
【図３】本発明のさらに他の実施の形態に係る太陽光発電装置に連結するデータロガーのブロック図である。
【図４】本発明のさらに他の実施の形態に係る太陽光発電装置のセンシング部の動作フローチャートである。
【図５】本発明のさらに他の実施の形態によってセンシング部が太陽光発電装置の状態及び太陽光発電装置周辺の環境情報のうち少なくともいずれか一つを感知し、データロガーに太陽光発電装置の状態及び太陽光発電装置周辺の環境情報のうち少なくともいずれか一つを表す状態情報を伝送することを示す。
【図６】本発明のさらに他の実施の形態に係る太陽光発電装置のための状態情報のシンタックス（ｓｙｎｔａｘ）を示す。
【図７】本発明のさらに他の実施の形態によってセンシング部が太陽光発電装置の状態及び太陽光発電装置周辺の環境情報のうち少なくともいずれか一つを感知し、データロガーに太陽光発電装置の状態及び太陽光発電装置周辺の環境情報のうち少なくともいずれか一つを表す状態情報を伝送することを示す。
【図８】本発明のさらに他の実施の形態に係る太陽光発電装置のセンシング部の動作フローチャートである。
【発明を実施するための形態】
【００１６】
以下、添付した図面を参考にして、本発明の実施の形態について、本発明が属する技術分野における通常の知識を有する者が容易に実施できるように詳細に説明する。しかしながら、本発明は、色々な相異なる形態により具現化されることができ、ここで説明する実施の形態に限定されない。そして、図面において本発明を明確に説明するために、説明と関係のない部分は省略し、明細書全体にわたって類似の部分に対しては、類似の図面符号を付している。
【００１７】
また、ある部分がある構成要素を「含む（備える）」とするとき、これは、特に逆の記載がない限り、他の構成要素を除外することではなく、他の構成要素をさらに含む（備える）ことができることを意味する。
【００１８】
図１は、本発明の一実施の形態にかかる太陽光発電装置のブロック図である。
【００１９】
本発明の一実施の形態にかかる太陽光発電装置３００は、太陽電池アレイ３０１、インバータ３０３、交流フィルタ３０５、交流／交流コンバータ３０７、系統３０９、充電制御部３１１、バッテリーエネルギー保存システム３１３、システム制御部３１５、負荷３１７、センシング部３１９及びデータロガー３３０を備える。
【００２０】
太陽電池アレイ３０１は、太陽エネルギーを吸収して電気エネルギーに変換する。
【００２１】
インバータ３０３は、直流電力を交流電力にインバーティングする。太陽電池アレイ３０１が供給した直流電力またはバッテリーエネルギー保存システム３１３が放電し充電制御部３１１を介して供給された直流電力を、交流電力にインバーティングする。
【００２２】
交流フィルタ３０５は、交流電力にインバーティングされた電力のノイズをフィルタリングする。
【００２３】
交流／交流コンバータ３０７は、交流電力を系統３０９と負荷３１７に供給できるようにノイズがフィルタリングされた交流電力の電圧の大きさをコンバーティングして、系統３０９と負荷３１７に電力を供給する。
【００２４】
系統３０９とは、多くの発電所、変電所、送配電線及び負荷が一体になって電力の発生及び利用がなされるシステムである。
【００２５】
充電制御部３１１は、バッテリーエネルギー保存システム３１３の充電及び放電を制御する。
【００２６】
バッテリーエネルギー保存システム３１３は、太陽電池アレイ３０１から電気エネルギーの供給を受けて充電し、系統３０９または負荷３１７の電力需給状況によって充電された電気エネルギーを放電する。
【００２７】
システム制御部３１５は、充電制御部３１１とインバータ３０３、交流フィルタ３０５及び交流／交流コンバータ３０７の動作を制御する。
【００２８】
負荷３１７は、電気エネルギーの供給を受けて消費する。
【００２９】
センシング部３１９は、太陽光発電装置３００の状態及び太陽光発電装置３００周辺の環境状態のうち少なくともいずれか一つを感知する。具体的には、センシング部３１９は、太陽光発電装置３００の状態を感知できる。このとき、太陽光発電装置３００の状態は、太陽光発電装置３００が生産する電力の電圧及び太陽光発電装置３００内の温度のうち少なくともいずれか一つを含むことができる。また、センシング部３１９は、太陽光発電装置３００周辺の環境状態を感知できる。このとき、太陽光発電装置３００周辺の環境状態は、太陽光発電装置３００が位置した所の日射量及び太陽光発電装置３００が位置した所の温度のうち少なくともいずれか一つを含むことができる。したがって、センシング部３１９は、複数のセンサを有することができる。具体的には、センシング部３１９は、日射量センサ、温度センサ及び電圧センサのうち少なくともいずれか一つを含むことができる。
【００３０】
データロガー３３０は、センシング部３１９から状態情報を受信して外部の管理サーバ３５０に伝送する。
【００３１】
太陽光発電装置３００の管理者は、管理サーバ３５０に伝送された状態情報を介して太陽光発電装置３００の異常有無と発電状態を確認することができる。具体的には、太陽光発電装置３００の管理者は、日射量に比べて発電量が少ない場合、太陽光発電装置３００の故障を疑ってみることができる。これにより、太陽光発電装置３００の管理者は、太陽光発電装置３００を点検できる。さらに他の具体的な実施の形態において、太陽光発電装置３００が生産した電力の品質がよくない場合、太陽光発電装置３００の管理者は、太陽光発電装置３００に必要な構成の交替周期を計ってみることができる。さらに他の具体的な実施の形態において、太陽光発電装置３００の管理者は、太陽光発電装置３００の温度が過度に高い場合、又、太陽光発電装置３００の周辺の温度が過度に高い場合、太陽光発電装置３００の動作を一定時間停止できる。さらに他の具体的な実施の形態において、系統３０９に供給した電力に応じて太陽光発電装置３００の所有者が輸入を得る場合、データロガー３３０が伝送した情報は、輸入に対する根拠資料になることができる。具体的には、他の日より太陽光発電装置３００の電力供給量が少なく、輸入が少なく算定される場合、太陽光発電装置３００の所有者は、データロガー３３０から伝送された日射量が少ないことを見て、発電量が少なかった理由を確認することができる。このようにセンシング部３１９とデータロガー３３０とは、太陽光発電装置３００の装置を效率的に管理し維持保守できるようにする。
【００３２】
図２は、本発明の一実施の形態にかかる太陽光発電装置の動作フローチャートである。
【００３３】
太陽電池アレイ３０１は、太陽エネルギーを電気エネルギーに変換する（Ｓ１０１）。
【００３４】
システム制御部３１５は、系統３０９に電力供給が必要であるかどうかについて判断する（Ｓ１０３）。系統３０９に電力供給が必要であるかどうかは、系統３０９が過負荷なのか軽負荷なのかを基準に判断できる。
【００３５】
系統３０９に電力供給が必要でないと、システム制御部３１５は、充電制御部３１１を制御してバッテリーエネルギー保存システム３１３を充電する（Ｓ１０５）。具体的には、システム制御部３１５は、充電制御部３１１を制御する制御信号を生成できる。充電制御部３１１は、制御信号を受信してバッテリーエネルギー保存システム３１３を充電できる。
【００３６】
システム制御部３１５は、バッテリーエネルギー保存システム３１３の放電が必要であるかどうかを判断する（Ｓ１０７）。太陽電池アレイ３０１が供給する電気エネルギーだけで系統３０９の電力需要を充足できずバッテリーエネルギー保存システム３１３の放電が必要であるかどうかを判断できる。また、システム制御部３１５は、バッテリーエネルギー保存システム３１３が放電する程十分な電気エネルギーを保存しているかどうかを判断できる。
【００３７】
バッテリーエネルギー保存システム３１３の放電が必要であると、システム制御部３１５は、充電制御部３１１を制御してバッテリーエネルギー保存システム３１３を放電する（Ｓ１０９）。具体的には、システム制御部３１５は、充電制御部３１１を制御する制御信号を生成できる。充電制御部３１１は、制御信号を受信してバッテリーエネルギー保存システム３１３を放電できる。
【００３８】
インバータ３０３は、バッテリーエネルギー保存システム３１３が放電した電気エネルギーと太陽電池アレイ３０１が変換した電気エネルギーとを交流にインバーティングする（Ｓ１１１）。このとき、系統連係型太陽光発電装置３００は、バッテリーエネルギー保存システム３１３が放電した電気エネルギー及び太陽電池アレイ３０１が変換した電気エネルギーを共に、一つのインバータ３０３を介してインバーティングする。各電気器具は、使用できる電力に限界がある。この限界には瞬間的な限界と長時間使用した時の限界があり、長時間使用しても機器が損傷せずに無理無く使用できる最大電力によって定格電力を定める。インバータ３０３の効率を最大化するためには、バッテリーエネルギー保存システム３１３と太陽電池アレイ３０１とが、インバータ３０３がこのような定格電力の４０％から６０％程度の電力を使用するように、電力を供給しなければならない。
【００３９】
交流フィルタ３０５は、インバーティングされた電力のノイズをフィルタリングする（Ｓ１１３）。
【００４０】
交流／交流コンバータ３０７は、フィルタリングされた交流電力の電圧の大きさをコンバーティングして、電力を系統３０９または負荷３１７に供給する（Ｓ１１５）。
【００４１】
太陽光発電装置３００は、コンバーティングされた電力を系統３０９または負荷３１７に供給する（Ｓ１１７）。
【００４２】
データロガー３３０の動作については、図３ないし図４を利用して具体的に説明する。
【００４３】
図３は、本発明のさらに他の実施の形態に係る太陽光発電装置に連結するデータロガーのブロック図である。
【００４４】
データロガー３３０は、制御部３３１、通信部３３３及びメモリ３３５を備える。
【００４５】
制御部３３１は、データロガー３３０の動作を制御する。
【００４６】
通信部３３３は、センシング部３１９から太陽光発電装置３００の状態及び太陽光発電装置３００周辺の環境状態のうち少なくともいずれか一つを表す状態情報を受信する。また、通信部３３３は、太陽光発電装置３００の状態情報を管理サーバ３５０に伝送する。
【００４７】
メモリ３３５は、データロガー３３０の動作に必要な情報を保存する。
【００４８】
図４は、本発明のさらに他の実施の形態に係る太陽光発電装置のセンシング部の動作フローチャートである。
【００４９】
センシング部３１９は、太陽光発電装置３００の状態及び太陽光発電装置３００周辺の環境状態のうち少なくともいずれか一つを感知する（Ｓ３０１）。上述のように、センシング部３１９は、太陽光発電装置３００が生産する電力の電圧、太陽光発電装置３００が位置した所の日射量、太陽光発電装置３００が位置した所の温度及び太陽光発電装置３００内の温度のうち少なくともいずれか一つを感知できる。
【００５０】
センシング部３１９は、太陽光発電装置３００の状態及び太陽光発電装置３００周辺の環境状態のうち少なくともいずれか一つを表す状態情報を伝送する（Ｓ３０３）。具体的には、センシング部３１９は、太陽光発電装置３００の状態及び太陽光発電装置３００周辺の環境状態のうち少なくともいずれか一つを表す状態情報をデータロガー３３０に伝送できる。
【００５１】
図５は、本発明のさらに他の実施の形態によってセンシング部が太陽光発電装置の状態及び太陽光発電装置周辺の環境情報のうち少なくともいずれか一つを感知し、データロガーに太陽光発電装置の状態及び太陽光発電装置周辺の環境情報のうち少なくともいずれか一つを表す状態情報を伝送することを示す。
【００５２】
図５の（ａ）は、センシング部３１９とデータロガー３３０との間の情報伝送を示す。図５の（ｂ）は、センシング部３１９の各センサが太陽光発電装置３００の状態及び太陽光発電装置３００周辺の環境情報のうち少なくともいずれか一つを順次に感知することを示す。図５の実施の形態においてセンシング部３１９は、電圧センサ、日射量センサ及び温度センサを有する。図５のように、複数のセンサが順次に太陽光発電装置３００の状態及び太陽光発電装置３００周辺の環境情報のうち少なくともいずれか一つを感知し、このような情報を表す状態情報を順次に伝送する場合、各々異なる状態を表す状態情報の間には時間差が存在する。したがって、太陽光発電装置３００の性能分析、故障原因分析に状態情報を使用し難いという問題がある。例えば、太陽光インバータの機能を分析するＭＰＰＴアルゴリズムに状態情報を使用するのが難しかった。また、センシング部３１９が伝送する情報には、状態情報の感知された時間を含まないから、データロガー３３０または管理サーバ３５０の感知された時間を考慮して状態情報を判断することも不可能であった。このような問題を解決するためのセンシング部３１９またはデータロガー３３０の動作について、図６ないし図８を利用して説明する。
【００５３】
図６は、本発明のさらに他の実施の形態に係る太陽光発電装置のための状態情報のシンタックス（ｓｙｎｔａｘ）を示す。
【００５４】
太陽光発電装置３００の状態及び太陽光発電装置３００周辺の環境情報のうち少なくともいずれか一つを表す状態情報は、センサを識別する識別情報、センサの感知した値を表す測定情報、感知した時間を表す時間情報及び情報のエラーを検出するためのエラー検出情報のうち少なくともいずれか一つを含むことができる。具体的には、センサを識別する識別情報は、センサの連結位置を表すセンサアドレス情報及びセンサの種類を表すセンサ種類情報のうち少なくともいずれか一つを含むことができる。また、具体的な実施の形態において、エラー検出情報は、循環重複検査（ｃｙｃｌｉｃ  ｒｅｄｕｎｄａｎｃｙ  ｃｈｅｃｋ，ＣＲＣ）情報でありうる。図６の実施の形態において、センシング部３１９と状態情報のパケット（ｐａｃｋｅｔ）とは、センサアドレス情報を表すフィールド、センサ種類情報を表すフィールド、測定情報を表すフィールド、時間情報を表すフィールド及びエラー検出情報を表すフィールドを含む。状態情報が、センサが感知した時間を表す時間情報を含む場合、管理サーバ３５０は、状態情報が含む時間情報に基づいて太陽光発電装置３００を精密かつ效率的に管理できる。
【００５５】
具体的な実施の形態において、センシング部３１９は、状態を表す情報はセンサを識別する識別情報、センサが感知した値を表す測定情報、感知した時間を表す時間情報及び情報のエラーを検出するためのエラー検出情報のうち少なくともいずれか一つを状態情報に挿入して、データロガー３３０に伝送できる。
【００５６】
具体的な実施の形態において、センシング部３１９が情報を感知し直ちに伝送する場合、センシング部３１９は、時間情報を挿入せずに状態情報を伝送し、データロガー３３０は、センシング部３１９が伝送した状態情報に時間情報を挿入できる。また、具体的な実施の形態において、センシング部３１９は、測定情報のみを伝送し、データロガー３３０は、状態情報が含む測定情報以外の情報を挿入できる。具体的には、センシング部３１９は、測定情報のみを含む状態情報を伝送し、データロガー３３０は、感知した時間を表す時間情報及び情報のエラーを検出するためのエラー検出情報のうち少なくともいずれか一つを状態情報に挿入して管理サーバ４５０に伝送できる。このような場合、センシング部３１９は、太陽光発電装置３００の状態及び太陽光発電装置３００周辺の環境情報のうち少なくともいずれか一つを感知し、これを単純に伝送すればいいので、センシング部３１９の構成を単純化できる。
【００５７】
図７は、本発明のさらに他の実施の形態によって、センシング部が太陽光発電装置の状態及び太陽光発電装置周辺の環境情報のうち少なくともいずれか一つを感知し、データロガーに太陽光発電装置の状態及び太陽光発電装置周辺の環境情報のうち少なくともいずれか一つを表す状態情報を伝送することを示す。
【００５８】
図７の（ａ）は、センシング部３１９とデータロガー３３０との間の情報伝送を示す。図７の（ｂ）は、センシング部３１９の各センサが順次に太陽光発電装置３００の状態及び太陽光発電装置３００周辺の環境情報のうち少なくともいずれか一つを同時に感知することを示す。図７の実施の形態において、センシング部３１９は、電圧センサ、日射量センサ及び温度センサを有する。図７の実施の形態のように、センシング部３１９が含む複数のセンサが太陽光発電装置３００の状態及び太陽光発電装置３００周辺の環境情報のうち少なくともいずれか一つを同時に感知する場合、順次に感知する場合より一貫性のある状態情報を獲得できる。また、通信トラフィック制御などによって、センシング部３１９がデータロガー３３０に、感知した太陽光発電装置３００の状態及び太陽光発電装置３００周辺の環境情報のうち少なくともいずれか一つを同時に伝送できない場合、センシング部３１９は、感知した太陽光発電装置３００の状態及び太陽光発電装置３００周辺の環境情報のうち少なくともいずれか一つをデータロガー３３０に順次に伝送できる。
【００５９】
図８は、本発明のさらに他の実施の形態に係る太陽光発電装置のセンシング部の動作フローチャートである。
【００６０】
センシング部３１９は、太陽光発電装置３００の状態及び太陽光発電装置３００周辺の環境状態のうち少なくともいずれか一つを感知する（Ｓ５０１）。上述のように、センシング部３１９は、太陽光発電装置３００が生産する電力の電圧、太陽光発電装置３００が位置した所の日射量、太陽光発電装置３００が位置した所の温度及び太陽光発電装置３００内の温度のうち少なくともいずれか一つを感知できる。
【００６１】
センシング部３１９は、太陽光発電装置３００の状態及び太陽光発電装置３００周辺の環境状態のうち少なくともいずれか一つを感知した時間を表す時間情報を獲得する（Ｓ５０３）。
【００６２】
センシング部３１９は、太陽光発電装置３００の状態及び太陽光発電装置３００周辺の環境状態のうち少なくともいずれか一つ及び時間情報を含む状態情報を伝送する（Ｓ５０５）。具体的には、センシング部３１９は、太陽光発電装置３００の状態及び太陽光発電装置３００周辺の環境状態のうち少なくともいずれか一つ及び時間情報を含む状態情報をデータロガー３３０に伝送できる。このとき、状態情報は、図６を利用して説明した形態と同じでありうる。また、上述のように、センシング部３１９は、太陽光発電装置３００の状態及び太陽光発電装置３００周辺の環境状態のうち少なくともいずれか一つを感知し、感知した情報のみを含む状態情報を伝送し、データロガー３３０が状態情報に時間情報を挿入して管理サーバ４５０に伝送できる。
【００６３】
このような動作により、太陽光発電装置３００の状態及び周辺環境に対する精密な情報を得て、太陽光発電装置３００を效率的に管理し維持保守できる。
【００６４】
以上、実施の形態において説明された特徴、構造、効果などは、本発明の少なくとも一つの実施の形態に含まれ、必ず一つの実施の形態のみに限定されるものではない。なお、各実施の形態において例示している特徴、構造、効果などは、実施の形態が属する分野における通常の知識を有する者により、他の実施の形態に対しても組み合わせまたは変形されて実施可能である。したがって、このような組み合わせと変形に関わる内容は、本発明の範囲に含まれるものと解釈されねばならない。
【００６５】
また、以上では実施の形態を中心に説明したが、これは単に例示のためのものであり、本発明を限定するものではなく、本発明の属する技術分野における通常の知識を有する者であれば、本実施の形態の本質的な特性を逸脱しない範囲内で、以上で例示されていない多様な変形及び応用が可能であることが分かるであろう。例えば、実施の形態に具体的に示すそれぞれの構成要素は変形させて実施することができる。そして、このような変形及び応用に関連する差異は、特許請求の範囲で規定する本発明の範囲に含まれると解釈されねばならないであろう。
【符号の説明】
【００６６】
３００    太陽光発電装置
３０１    太陽電池アレイ
３０３    インバータ
３０５    交流フィルタ
３０７    交流／交流コンバータ
３０９    系統
３１１    充電制御部
３１３    バッテリーエネルギー保存システム
３１５    システム制御部
３１７    負荷
３１９    センシング部
３３０    データロガー
３３１    制御部
３３３    通信部
３３５    メモリ
３５０    管理サーバ
【図１】
2016135094.tif 000003
【図２】
2016135094.tif 000004
【図３】
2016135094.tif 000005
【図４】
2016135094.tif 000006
【図５】
2016135094.tif 000007
【図６】
2016135094.tif 000008
【図７】
2016135094.tif 000009
【図８】
2016135094.tif 000010